(57)【特許請求の範囲】
【請求項１】
潜像が形成される像担持体と、回転中心軸線周りに配設された複数の現像器を有する現像器ユニットを該回転中心軸線の周りで回転させ、対向する上記像担持体の現像位置に各現像器を移動させて該像担持体上に形成された潜像を現像する回転型現像装置と、上記回転型現像装置の回転中心軸を上記像担持体に対する前後側で支持する側板とステー部材とを備え、上記像担持体と回転型現像装置を一体的に画像形成装置本体から引き出し可能に内蔵する引出体を有する画像形成装置において、上記引出体を上記画像形成装置本体内から該画像形成装置本体の手前側に引き出した際に、上記引出体の上記像担持体用の開放部を閉塞可能な遮光部材を上記引出体に設けてなり、上記遮光部材が、上記回転式現像装置の下方に位置するトナー受けを兼ねるとともに、該トナー受けを上記引出体に着脱可能に設け、該引出体を引き出した際に上記像担持体の開放部を覆うように上記引出体に付け替えて上記開放部を閉塞可能としてなることを特徴とする画像形成装置。
【請求項２】
潜像が形成される像担持体と、回転中心軸線周りに配設された複数の現像器を有する現像器ユニットを該回転中心軸線の周りで回転させ、対向する上記像担持体の現像位置に各現像器を移動させて該像担持体上に形成された潜像を現像する回転型現像装置と、上記回転型現像装置の回転中心軸を上記像担持体に対する前後側で支持する側板とステー部材とを備え、上記像担持体と回転型現像装置を一体的に画像形成装置本体から引き出し可能に内蔵する引出体を有する画像形成装置において、上記引出体を上記画像形成装置本体内から該画像形成装置本体の手前側に引き出した際に、上記引出体の上記像担持体用の開放部を閉塞可能な遮光部材を上記引出体に設けてなり、上記遮光部材が、上記引出体に取り付けたロール状部材であり、上記引出体を引き出した際に上記開放部を覆うように上記ロール状の遮光部材を上記引出体に掛け止めて上記開放部を閉塞可能としてなり、上記ロール状の遮光部材を掛け止める部材が、上記回転型現像装置で使用する現像剤を捕集するマグネットを兼ねることを特徴とする画像形成装置。
【発明の詳細な説明】
【０００１】
【発明の属する技術分野】
本発明は、回転切換型多色現像装置の機械本体に対する脱着性を改良した画像形成装置に関する。
【０００２】
【従来の技術】
従来の回転切換型現像装置は、剛性確保と精度確保のため、画像形成装置本体に固定されているものが多く、現像装置周りのメンテナンス性が非常に悪かった。また回転型現像装置を画像形成装置本体に固定するため量産ラインでの組み立て性もあまりよくないという問題があった。
【０００３】
このような不具合を改善し、メンテナンス性、組み立て性、現像装置支持剛性を向上させる目的で、引出体に回転型現像装置と感光体ユニット等を搭載し、画像形成装置本体から引き出した状態で上記操作が可能な画像形成装置が提案されている。この種の画像形成装置としては、例えば特公昭５８−５４３９２号公報、同６１−５８０３５号公報、同６２−３７３９２号公報、特公平３−３４０７０号公報、同３−５０２６８号公報、特許第２６０３１１７号等のように種々のものがある。
【０００４】
【発明が解決しようとする課題】
しかしながら上記のような画像形成装置においては、引出体を画像形成装置本体から引き出した状態で現像装置のメンテナンスを行うため、現像剤の交換、現像装置の清掃等に時間を掛けてしまうと、感光体ユニットの感光体を外部へ臨ませている引出体の開放部から光が入ってしまい、感光体の一部を劣化させてしまうという問題があった。
【０００５】
本発明は上述のような感光体劣化を防止することができる画像形成装置を提供することを目的とする。また本発明は、サービスマン等が感光体劣化を防止するための部材を持ち歩かなくともすむ構造とした画像形成装置を提供することを目的とする。
【０００６】
【課題を解決するための手段】
本発明の画像形成装置のうち請求項１に係るものは、上記目的を達成するために、潜像が形成される像担持体と、回転中心軸線周りに配設された複数の現像器を有する現像器ユニットを該回転中心軸線の周りで回転させ、対向する上記像担持体の現像位置に各現像器を移動させて該像担持体上に形成された潜像を現像する回転型現像装置と、上記回転型現像装置の回転中心軸を上記像担持体に対する前後側で支持する側板とステー部材とを備え、上記像担持体と回転型現像装置を一体的に画像形成装置本体から引き出し可能に内蔵する引出体を有する画像形成装置において、上記引出体を上記画像形成装置本体内から該画像形成装置本体の手前側に引き出した際に、上記引出体の上記像担持体用の開放部を閉塞可能な遮光部材を上記引出体に設けてなり、上記遮光部材が、上記回転式現像装置の下方に位置するトナー受けを兼ねるとともに、該トナー受けを上記引出体に着脱可能に設け、該引出体を引き出した際に上記像担持体の開放部を覆うように上記引出体に付け替えて上記開放部を閉塞可能としてなることを特徴とする。
【０００７】
同請求項２に係るものは、潜像が形成される像担持体と、回転中心軸線周りに配設された複数の現像器を有する現像器ユニットを該回転中心軸線の周りで回転させ、対向する上記像担持体の現像位置に各現像器を移動させて該像担持体上に形成された潜像を現像する回転型現像装置と、上記回転型現像装置の回転中心軸を上記像担持体に対する前後側で支持する側板とステー部材とを備え、上記像担持体と回転型現像装置を一体的に画像形成装置本体から引き出し可能に内蔵する引出体を有する画像形成装置において、上記引出体を上記画像形成装置本体内から該画像形成装置本体の手前側に引き出した際に、上記引出体の上記像担持体用の開放部を閉塞可能な遮光部材を上記引出体に設けてなり、上記遮光部材が、上記引出体に取り付けたロール状部材であり、上記引出体を引き出した際に上記開放部を覆うように上記ロール状の遮光部材を上記引出体に掛け止めて上記開放部を閉塞可能としてなり、上記ロール状の遮光部材を掛け止める部材が、上記回転型現像装置で使用する現像剤を捕集するマグネットを兼ねることを特徴とする。
【００１０】
【発明の実施の形態】
以下本発明の実施の形態を図面を参照して説明する。
図１は本発明の実施対象とするフルカラー複写機の一例の全体を示す概念的な断面図である。本複写機では、コンタクトガラス１上の原稿に第１スキャナ２にある露光光源３で照射し、第２スキャナ４のミラー、レンズ５を介してＣＣＤ６で画像を読み込み、読み込んだ画像データに対して種々の画像処理を行い、帯電チャージャ７によって帯電した感光体８へレーザ照射を行い、静電潜像を形成する。静電潜像は、回転型現像装置であるリボルバ現像器９によって対応した色のトナー像として可視化する。感光体８上に形成したトナー像は、中間転写ベルト１０へ中間転写チャージャ１１により転写する。これをコピーモードに応じて複数回繰り返して多層トナー像を形成する。次に図示せぬ記録媒体（転写紙）をタイミングを取って搬送し、紙転写チャージャ１３により転写紙上にトナー像を転写する。トナー像が形成された転写紙は、搬送ベルト１４により定着装置１５へ搬送し、加熱されたローラ間を通過させることによりトナー像を溶融して転写紙上に定着し、コピー画像を得る。
【００１１】
また図２は本発明の一実施形態において、画像形成装置本体２０からリボルバ現像器９と感光体８を含む感光体ユニット２１を支持している引出体２２を引き出した状態の斜視図である。引出体２２は画像形成装置本体２０から手前側にリボルバ現像器９と感光体ユニット２１を一体的に引き出せる構成となっている。
【００１２】
引出体２２は、前後に配置する板金製の側板２４、２４と、両サイド及び中央部の上下に計４つ配するステー２５・・・から構成されており、リボルバ現像器９の下方には、引出体２２をスライドさせる時に着脱可能なトナー受け２６が設置されている。画像形成装置本体２０には、引出体２２の両サイド部に位置するようにスライドレール２７、２７が取り付けられており、これにより引出体２２のスライド移動を可能にしている。
【００１３】
この構成により、画像形成装置本体２０の操作部より引出体２２を引き出し、そのまま停止支持させることで、サービスマン等が無理な姿勢をとることなく容易にリボルバ現像器９や感光体ユニット２１（感光体８やクリーニングブレード等）のメンテナンスや着脱作業など可能にしている。引出体２２を引き出し状態では、リボルバ現像器９内の少なくとも１つ以上の現像ユニットが、引出体２２の上方向に着脱できるようになっており、作業者が引出体２２の側面あるいは前面に立った状態で作業できるため、作業スペースの高効率化も実現できるようになっている。また、感光体ユニット２１も同様に引出体２２の上方向に着脱できるようになっている。
【００１４】
ところで引出体２２を画像形成装置本体２０から引き出した際には、感光体ユニット２１の下側（図１の中間転写ベルト１０側）に位置する開放部が開きっぱなしになってしまうため、図示の実施形態では、トナー受け２６を開放部の閉塞用の遮光部材として兼用するようになっている。引出体２２に対してトナー受け２６を着脱する構造については、もちろん作業者ができるだけ短時間で脱着可能なものとするが、これについては凹凸嵌合やマグネット吸着等種々公知の手段を採用すればよいので図示及び説明は省略する。
【００１５】
図３は本発明の他の実施形態における引出体及び感光体ユニットを示す正面断面図である。本実施形態は、ロール状に巻き取られた遮光部材２８を収納した遮光部材ケース２９が引出体２２の下ステー２５に設けられていて、引出体２２を引き出した際に遮光部材２８を感光体ユニット２１の下側開放部Ｘ側へ引き出して、右ステー２５へ止めることができるようになっている。遮光部材２８は黒く軟らかい部材（フィルム、紙、布等）で構成されていて、右ステー２５へ止めた部分を開放することにより自動的に巻き取られて、遮光部材ケース２９内へ収納されるようになっている。
【００１６】
遮光部材２８を右ステー２５へ止めるストッパーは、感光体８に付着した現像剤を捕集するマグネットであるキャリアキャッチャー３０と兼用させてある。遮光部材２８の先端側がキャリアキャッチャー３０に取り付けられ、遮光部材２８が巻き取られた状態ではキャリアキャッチャーが下ステー２５の位置に来るようになっている。
【００１７】
【発明の効果】
本発明に係る画像形成装置は、以上説明してきたようなものなので、画像形成装置本体から引出体を引き出した状態での組み付け、メンテナンス等の作業の際に、時間が掛かってしまっても、感光体の開放部を光によって劣化させてしまうという問題が発生しなくなり、サービスマン等が遮光部材を持ち歩く必要がなくなって持参することを忘れることもないという効果がある。
【図面の簡単な説明】
【図１】本発明の実施対象とするフルカラー複写機の一例の全体を示す概念的な断面図である。
【図２】本発明の一実施形態において、画像形成装置本体から引出体を引き出した状態の斜視図である。
【図３】本発明の他の実施形態における引出体及び感光体ユニットを示す正面断面図である。
【符号の説明】
１  コンタクトガラス
２  第１スキャナ
３  露光光源
４  第２スキャナ
５  レンズ
６  ＣＣＤ
７  帯電チャージャ
８  感光体
９  リボルバ現像器
１０  中間転写ベルト
１１  中間転写チャージャ
１３  紙転写チャージャ
１４  搬送ベルト
１５  定着装置
２０  画像形成装置本体
２１  感光体ユニット
２２  引出体
２４  側板
２５  ステー
２６  トナー受け
２７  スライドレール
２８  遮光部材
２９  遮光部材ケース
３０  キャリアキャッチャー
Ｘ  感光体ユニットの下側開放部
【図１】
0003993346.tif 000002
【図２】
0003993346.tif 000003
【図３】
0003993346.tif 000004